(57)【要約】【課題】検者が携帯情報端末装置を携帯しながら眼科装置による患者の検眼を行う場合に、効率的な検眼を行えるようにする。【解決手段】携帯情報端末装置２００において、複数の眼科装置のうちの眼科装置１００を認識し、被検眼の情報が取得される前に、前記認識された眼科装置１００から被検眼の動画像を示す動画信号を受信し、表示部２０７に表示される表示画面が前記認識された眼科装置１００を操作するための操作画面に切り換えられた状態で、被検眼の動画像を前記認識された眼科装置１００を操作するための操作画面上に表示させ、前記認識された眼科装置１００から動画信号が送信されている時に、前記認識された眼科装置１００を操作するための操作画面上に表示された動画像上での検者からの指示に関する情報を用いて、前記認識された眼科装置１００に制御信号を送信する。【選択図】図２
2019205947.tif 000002
【特許請求の範囲】
【請求項１】
被検眼の情報を取得するための本体部を有する眼科装置であって、複数の眼科装置と通信可能に構成され、表示手段を有する携帯情報端末装置であって、
前記複数の眼科装置のうちのいずれかの眼科装置であって、前記携帯情報端末装置からの制御信号の送信対象となる眼科装置を認識する認識手段と、
前記被検眼の情報が取得される前に、照明された被検眼からの戻り光を用いて撮像手段により取得された前記被検眼の動画像を示す動画信号を前記認識された眼科装置から受信する受信手段と、
前記表示手段に表示される表示画面が前記認識された眼科装置を操作するための操作画面に切り換えられた状態で、前記動画像を前記認識された眼科装置を操作するための操作画面上に表示させる表示制御手段と、
前記認識された眼科装置から前記動画信号が送信されている時に、前記認識された眼科装置を操作するための操作画面上に表示された動画像上での検者からの指示に関する情報を用いて、前記認識された眼科装置に制御信号を送信する送信手段と、
を有することを特徴とする携帯情報端末装置。
【請求項２】
前記送信手段は、前記認識された眼科装置を操作するための操作画面上の２か所をつまむような検者の操作に応じて前記本体部を前記被検眼から遠ざける方向に移動するための前記制御信号を前記眼科装置に送信し、前記認識された眼科装置のための操作画面上の２か所を開くような検者の操作に応じて前記本体部を前記被検眼に近づける方向に移動するための前記制御信号を前記眼科装置に送信することを特徴とする請求項１に記載の携帯情報端末装置。
【請求項３】
前記認識手段は、当該携帯情報端末装置と接触した眼科装置、または、当該携帯情報端末装置と非接触であって当該携帯情報端末装置との距離が所定の距離未満となった眼科装置を認識することにより、前記複数の眼科装置のうち、他の眼科装置と比べて当該携帯情報端末装置との距離が近い眼科装置を認識することを特徴とする請求項１または２に記載の携帯情報端末装置。
【請求項４】
被検眼を検査する複数の眼科装置と通信可能に構成され、表示手段を有する携帯情報端末装置であって、
前記複数の眼科装置のうちのいずれかの眼科装置であって、前記携帯情報端末装置からの制御信号の送信対象となる眼科装置を認識する認識手段と、
前記認識された眼科装置から状態確認信号を受信し、前記検査により得られた前記被検眼の動画像を示す動画信号を前記認識された眼科装置から受信する受信手段と、
前記表示手段に表示される表示画面が前記認識された眼科装置を操作するための操作画面に切り換えられた状態で、前記動画像を前記認識された眼科装置を操作するための操作画面上に表示させる表示制御手段と、
前記認識された眼科装置から前記動画信号が送信されている時に、前記認識された眼科装置を操作するための操作画面上に表示された動画像上での検者からの指示に関する情報を用いて、前記認識された眼科装置に制御信号を送信する送信手段と、
を有することを特徴とする携帯情報端末装置。
【請求項５】
前記表示制御手段は、前記認識手段で眼科装置が認識されると、前記表示手段に表示する表示画面を、患者待機状態の表示画面から当該眼科装置を操作するための操作画面に切り換え、前記認識手段で認識された眼科装置で得られた前記被検眼の動画信号に基づく動画像と前記認識手段で認識された眼科装置で得られた検眼制御信号に基づく検眼制御情報とを含む前記操作画面を前記表示手段に表示させ、
前記検眼制御信号は、前記被検眼の検査に係る設定値情報、前記検査に係る検眼モード状態情報、前記被検眼の左右眼情報、前記検査に係る検眼エラー有無情報、及び、前記検査した結果である検眼結果信号に基づく検眼結果情報のうちの少なくとも１つの情報を含むものであることを特徴とする請求項１乃至４のいずれか１項に記載の携帯情報端末装置。
【請求項６】
当該携帯情報端末装置が前記眼科装置を前記認識手段で認識している際に検者が当該携帯情報端末装置を持ちながら移動した際に、前記認識手段で認識している眼科装置との距離が所定の距離以上となり且つ所定時間が経過した場合に、前記表示制御手段は、さらに、前記認識手段で認識している眼科装置との通信を解除するか否かを選択するためのアイコンを前記表示手段に表示させ、
前記認識手段で認識された眼科装置から、当該眼科装置が既に使用中であることを示す情報が受信された場合に、前記表示制御手段は、前記受信された情報に基づいて、当該眼科装置が使用中である旨を前記表示手段に表示させることを特徴とする請求項１乃至５のいずれか１項に記載の携帯情報端末装置。
【請求項７】
前記送信手段は、前記動画信号が受信された後に、当該携帯情報端末装置による操作信号を前記認識された眼科装置に送信し、
前記受信手段は、前記認識された眼科装置が前記被検眼を検査した結果である検眼結果信号を受信することを特徴とする請求項１乃至６のいずれか１項に記載の携帯情報端末装置。
【請求項８】
前記受信手段は、前記認識された眼科装置からの前記動画信号を、ブルーツースまたは高速無線ＬＡＮの通信規格を用いて受信することを特徴とする請求項１乃至７のいずれか１項に記載の携帯情報端末装置。
【請求項９】
前記受信手段は、前記認識された眼科装置からの検眼制御信号であって、前記被検眼の検査に係る設定値情報、前記検査に係る検眼モード状態情報、前記被検眼の左右眼情報、前記検査に係る検眼エラー有無情報、及び、前記検査した結果である検眼結果信号に基づく検眼結果情報のうちの少なくとも１つの情報を含む検眼制御信号を、１３．５６ＭＨｚの近距離無線通信の通信規格を用いて受信し、
前記送信手段は、前記検査に係る設定情報、前記検査に係る回数情報、前記検査を行う検眼手段におけるアライメント操作情報、及び、前記検査に係る検眼開始操作情報のうちの少なくとも１つの情報を、前記認識された眼科装置に送信することを特徴とする請求項１乃至８のいずれか１項に記載の携帯情報端末装置。
【請求項１０】
前記送信手段は、前記携帯情報端末装置との距離が所定の距離以上となり且つ所定時間が経過した場合に、前記認識された眼科装置に通信解除信号を送信し、
前記送信された通信解除信号に基づいて、前記認識された眼科装置との通信を解除する通信解除手段を更に有することを特徴とする請求項１乃至９のいずれか１項に記載の携帯情報端末装置。
【請求項１１】
前記受信手段は、前記距離が近い眼科装置を識別するための識別情報を前記距離が近い眼科装置から受信し、当該眼科装置が既に使用中である場合には、使用中であることを示す情報を前記距離が近い眼科装置から受信することを特徴とする請求項１乃至１０のいずれか１項に記載の携帯情報端末装置。
【請求項１２】
前記送信手段は、前記携帯情報端末装置が受信した前記動画信号に基づいて前記認識された眼科装置を操作するための操作画面上に表示された前記動画像上において検者から指示された信号を、前記制御信号として前記認識された眼科装置に送信することを特徴とする請求項１乃至１１のいずれか１項に記載の携帯情報端末装置。
【請求項１３】
前記表示制御手段は、前記認識された眼科装置に対応するウィンドウが立ち上がることにより、前記表示手段に表示される表示画面が前記認識された眼科装置を操作するための操作画面に切り換えられることを特徴とする請求項１乃至１２のいずれか１項に記載の携帯情報端末装置。
【請求項１４】
被検眼の情報を取得するための本体部を有する眼科装置であって、複数の眼科装置と通信可能に構成され、表示手段を有する携帯情報端末装置の制御方法であって、
前記複数の眼科装置のうちのいずれかの眼科装置であって、前記携帯情報端末装置からの制御信号の送信対象となる眼科装置を認識する認識ステップと、
前記被検眼の情報が取得される前に、照明された被検眼からの戻り光を用いて撮像手段により取得された前記被検眼の動画像を示す動画信号を前記認識された眼科装置から受信する受信ステップと、
前記表示手段に表示される表示画面が前記認識された眼科装置を操作するための操作画面に切り換えられた状態で、前記動画像を前記認識された眼科装置を操作するための操作画面上に表示させる表示制御ステップと、
前記認識された眼科装置から前記動画信号が送信されている時に、前記認識された眼科装置を操作するための操作画面上に表示された動画像上での検者からの指示に関する情報を用いて、前記認識された眼科装置に制御信号を送信する送信ステップと、
を有することを特徴とする携帯情報端末装置の制御方法。
【請求項１５】
被検眼を検査する複数の眼科装置と通信可能に構成され、表示手段を有する携帯情報端末装置の制御方法であって、
前記複数の眼科装置のうちのいずれかの眼科装置であって、前記携帯情報端末装置からの制御信号の送信対象となる眼科装置を認識する認識ステップと、
前記認識された眼科装置から状態確認信号を受信し、前記検査により得られた前記被検眼の動画像を示す動画信号を前記認識された眼科装置から受信する受信ステップと、
前記表示手段に表示される表示画面が前記認識された眼科装置を操作するための操作画面に切り換えられた状態で、前記動画像を前記認識された眼科装置を操作するための操作画面上に表示させる表示制御ステップと、
前記認識された眼科装置から前記動画信号が送信されている時に、前記認識された眼科装置を操作するための操作画面上に表示された動画像上での検者からの指示に関する情報を用いて、前記認識された眼科装置に制御信号を送信する送信ステップと、
を有することを特徴とする携帯情報端末装置の制御方法。
【請求項１６】
コンピュータを、請求項１乃至１３のいずれか１項に記載の携帯情報端末装置の各手段として機能させるためのプログラム。
【請求項１７】
請求項１乃至１３のいずれか１項に記載の携帯情報端末装置からの前記制御信号が受信可能に構成されていることを特徴とする眼科装置。
【請求項１８】
請求項１乃至１３のいずれか１項に記載の携帯情報端末装置と、
前記複数の眼科装置と、
を有することを特徴とする眼科システム。
【発明の詳細な説明】
【技術分野】
【０００１】
本発明は、眼科装置、携帯情報端末装置及びその制御方法、眼科システム、並びに、プログラムに関するものである。
【背景技術】
【０００２】
眼科診療においては、検者は、様々な眼科装置を用いて患者の被検眼を検査する作業を行う場合がある。この場合、検者が、例えば検査室や待合室等を往来する中で、患者情報等を見るためには、携帯情報端末装置が便利である。ここで、パーソナル・コンピュータ等の携帯情報端末装置と通信可能に構成された眼科装置が、特許文献１に開示されている。具体的に、特許文献１には、被検眼の情報を取得するための本体部と、通信機能を有する携帯情報端末装置が装着される装着部と、携帯情報端末装置との間で情報通信を行なう通信部と、通信部を介して携帯情報端末装置から入力された情報に基づいて本体部を制御する本体制御部とを備えた眼科装置が開示されている。
【先行技術文献】
【特許文献】
【０００３】
【特許文献１】特開２０１４−１０４１３０号公報
【発明の概要】
【発明が解決しようとする課題】
【０００４】
ここで、従来の技術では、眼科装置の使用状況等に応じて携帯情報端末装置で閲覧できる情報を適正化するものではなかった。例えば、眼科装置の使用状況としては、眼科装置を使用して検眼を行う場面と眼科装置を使用せずに検眼を行わない場面とが考えられる。このとき、携帯情報端末装置の表示内容としては、眼科装置に係る表示画面と患者待機状態の表示画面（患者情報を入力する画面）とが考えられる。このような場合において、従来の技術では、眼科装置の使用状況に応じてこれらの画面を適宜変更するものではなかった。即ち、従来の技術では、検者が携帯情報端末装置を携帯しながら眼科装置による患者の検眼を行う場合に、効率的な検眼を行うものではなかった。
【０００５】
本発明は、このような問題点に鑑みてなされたものであり、検者が携帯情報端末装置を携帯しながら眼科装置による患者の検眼を行う場合に、効率的な検眼を行うことを目的の一つとする。
【課題を解決するための手段】
【０００６】
本発明の携帯情報端末装置の一つは、被検眼の情報を取得するための本体部を有する眼科装置であって、複数の眼科装置と通信可能に構成され、表示手段を有する携帯情報端末装置であって、前記複数の眼科装置のうちのいずれかの眼科装置であって、前記携帯情報端末装置からの制御信号の送信対象となる眼科装置を認識する認識手段と、前記被検眼の情報が取得される前に、照明された被検眼からの戻り光を用いて撮像手段により取得された前記被検眼の動画像を示す動画信号を前記認識された眼科装置から受信する受信手段と、前記表示手段に表示される表示画面が前記認識された眼科装置を操作するための操作画面に切り換えられた状態で、前記動画像を前記認識された眼科装置を操作するための操作画面上に表示させる表示制御手段と、前記認識された眼科装置から前記動画信号が送信されている時に、前記認識された眼科装置を操作するための操作画面上に表示された動画像上での検者からの指示に関する情報を用いて、前記認識された眼科装置に制御信号を送信する送信手段と、を有する。
本発明の携帯情報端末装置における他の態様の一つは、被検眼を検査する複数の眼科装置と通信可能に構成され、表示手段を有する携帯情報端末装置であって、前記複数の眼科装置のうちのいずれかの眼科装置であって、前記携帯情報端末装置からの制御信号の送信対象となる眼科装置を認識する認識手段と、前記認識された眼科装置から状態確認信号を受信し、前記検査により得られた前記被検眼の動画像を示す動画信号を前記認識された眼科装置から受信する受信手段と、前記表示手段に表示される表示画面が前記認識された眼科装置を操作するための操作画面に切り換えられた状態で、前記動画像を前記認識された眼科装置を操作するための操作画面上に表示させる表示制御手段と、前記認識された眼科装置から前記動画信号が送信されている時に、前記認識された眼科装置を操作するための操作画面上に表示された動画像上での検者からの指示に関する情報を用いて、前記認識された眼科装置に制御信号を送信する送信手段と、を有する。
また、本発明は、上述した眼科装置、上述した眼科装置と上述した携帯情報端末装置とを有する眼科システム、上述した携帯情報端末装置の制御方法、並びに、上述した携帯情報端末装置の各手段としてコンピュータを機能させるためのプログラムを含む。
【発明の効果】
【０００７】
本発明の一つによれば、検者が携帯情報端末装置を携帯しながら眼科装置による患者の検眼を行う場合に、効率的な検眼を行うことが可能となる。
【図面の簡単な説明】
【０００８】
【図１】本発明の実施形態に係る眼科装置の外観構成の一例を示す図である。
【図２】本発明の実施形態に係る眼科システムを構成する眼科装置及び携帯情報端末装置の機能構成の一例を示す図である。
【図３】図２に示す無線送信部から携帯情報端末装置に送信する送信信号の一例を模式的に示す図である。
【図４】本発明の実施形態に係る携帯情報端末装置の外観の一例を示す図である。
【図５】本発明の実施形態に係る携帯情報端末装置の外観の一例を示す図である。
【図６】本発明の実施形態に係る携帯情報端末装置の外観の一例を示す図である。
【図７】本発明の実施形態に係る携帯情報端末装置の外観の一例を示す図である。
【図８】本発明の実施形態に係る眼科システムの制御方法における処理手順の一例を示すフローチャートである。
【発明を実施するための形態】
【０００９】
以下に、図面を参照しながら、本発明を実施するための形態（実施形態）について説明する。
【００１０】
図１は、本発明の実施形態に係る眼科装置１００の外観構成の一例を示す図である。
図１に示す眼科装置１００において、その最上部には、検眼ユニット１０１が構成されている。この検眼ユニット１０１は、患者（被検者）の被検眼を検査する検眼手段である。
【００１１】
この検眼ユニット１０１の下方には、上下駆動ユニット１０２と、水平面内で移動できる左右前後駆動ユニット１０３が配置されている。また、左右前後駆動ユニット１０３の下方には、電源ユニット１０４を内蔵したベース１０５が配置されており、ベース１０５の被検者側には、被検者の顔を固定するための顔受けユニット１０６が配置されている。また、ベース１０５の被検者側に対して反対側（検者側）には、検者が検眼操作を行うため携帯情報端末装置を載置できるラック１０７が設けられている。
【００１２】
検眼ユニット１０１には、被検眼を観察及び位置合わせする検出部を兼ねる観察光学系１０８及び撮像部１０９と、被検眼の検査（眼底撮影や屈折力測定、眼圧測定、角膜内皮撮影、角膜厚測定、眼軸長測定等）を行うための検眼光学系１１０が内蔵されている。
【００１３】
図２は、本発明の実施形態に係る眼科システム１０を構成する眼科装置１００及び携帯情報端末装置２００の機能構成の一例を示す図である。眼科システム１０は、図２に示すように、眼科装置１００と携帯情報端末装置２００とを有して構成されている。なお、図２において、図１に示す構成と同様の構成については同じ符号を付している。
【００１４】
眼科装置１００は、被検眼の検査を行う装置であって、携帯情報端末装置２００と通信可能（無線通信可能）に構成されている。本実施形態に係る眼科装置１００としては、例えば、眼底カメラや、ＳＬＯ（Ｓｃａｎｎｉｎｇ  Ｌａｓｅｒ  Ｏｐｈｔｈａｌｍｏｓｃｏｐｅ）、トノやレフの計測器、ＯＣＴ（Ｏｐｔｉｃａｌ  Ｃｏｈｅｒｅｎｃｅ  Ｔｏｍｏｇｒａｐｈｙ）、ＡＯ（Ａｄａｐｔｉｖｅ  Ｏｐｔｉｃｓ）−ＳＬＯを備えた装置、または、これらの光学系のいくつかを一体として構成された装置を適用可能である。この際、眼科装置１００による被検眼の検査には、眼底カメラやＯＣＴ装置による「撮像」も含まれる。眼科装置１００は、図２に示すように、検眼ユニット１０１、検眼ユニット制御部１１１、無線制御部１１２、無線受信部１１３と無線送信部１１４とを含む無線通信部１１５、及び、電源ユニット１０４を有して構成されている。
【００１５】
検眼ユニット１０１は、上述したように、患者の被検眼を検査する検眼手段である。また、この検眼ユニット１０１には、図１を用いて説明したように、観察光学系１０８、撮像部１０９、及び、検眼光学系１１０が内蔵されており、例えば、検眼のための光源や検出素子、ＣＣＤセンサ、検眼のためのアクチュエーター等が配置されている。この検眼ユニット１０１による検眼動作は、検眼ユニット制御部１１１からの制御信号に基づき制御される。
【００１６】
検眼ユニット制御部１１１は、検眼ユニット１０１からの情報や無線通信部１１５からの情報等に応じて、検眼ユニット１０１による検眼動作を制御する。例えば、検眼ユニット制御部１１１は、検眼ユニット１０１の内部の観察光学系１０８の位置合わせ情報に従って、図１に示す上下駆動ユニット１０２と左右前後駆動ユニット１０３を駆動させる制御を行うことで、被検眼を自動で位置合わせできるようにする。検眼ユニット制御部１１１は、無線制御部１１２と電気的に接続されており、無線制御部１１２を介して、無線受信部１１３で受信した携帯情報端末装置２００からの情報等を取得したり、無線送信部１１４から携帯情報端末装置２００に情報等を送信したりする。
【００１７】
無線制御部１１２は、無線通信部１１５を構成する無線受信部１１３による受信動作や無線送信部１１４による送信動作を制御する。
【００１８】
無線通信部１１５は、無線制御部１１２からの制御信号に基づいて、携帯情報端末装置２００と無線通信を行うものであり、図２に示すように、無線受信部１１３と無線送信部１１４とを含み構成されている。
【００１９】
無線受信部１１３は、例えば、携帯情報端末装置２００から、検眼ユニット１０１による検査（検眼）に係る設定情報、検眼に係る回数情報、検眼ユニット１０１におけるアライメント操作情報、検眼に係る検眼開始操作情報等を受信する。なお、本発明においては、無線受信部１１３は、これらの情報のうちの少なくとも１つの情報を受信する態様も適用可能である。
【００２０】
無線送信部１１４は、例えば、携帯情報端末装置２００との位置関係に応じて、検眼ユニット１０１による検眼により得られた被検眼の動画信号と当該検眼に係る検眼制御信号とを携帯情報端末装置２００に送信する。例えば、無線送信部１１４は、当該眼科装置１００が携帯情報端末装置２００と接触した場合（例えば検眼ユニット制御部１１１が不図示の接触センサ等を介して眼科装置１００のラック１０７上に携帯情報端末装置２００が載置されたことを検知した場合）や、或いは、当該眼科装置１００が携帯情報端末装置２００と非接触であって携帯情報端末装置２００との距離が所定の距離未満となった場合（例えば、無線通信部１１５が携帯情報端末装置２００と近距離無線通信を行う場合に、無線制御部１１２が無線通信部１１５と携帯情報端末装置２００との間で近距離無線通信ができたことを検知した場合、或いは後述する無線受信部２０３（又は無線受信部１１３）の距離を検出する回路で所定の距離未満となった場合）に、上述した動画信号と検眼制御信号とを携帯情報端末装置２００に送信する。さらに、無線送信部１１４は、当該眼科装置１００を識別するための識別情報を携帯情報端末装置２００に送信する。
【００２１】
無線送信部１１４から携帯情報端末装置２００に送信する検眼制御信号には、例えば、検眼ユニット１０１による検査（検眼）に係る設定値情報、検眼に係る検眼モード状態情報、被検眼の左右眼情報、検眼に係る検眼エラー有無情報、及び、検眼に係る検眼結果情報（測定値や撮影静止画等も含む）等が含まれている。なお、本発明においては、これらの情報のうちの少なくとも１つの情報を含む検眼制御信号も適用可能である。
【００２２】
また、無線送信部１１４は、上述した動画信号を、例えば、ブルーツースまたは高速無線ＬＡＮの通信規格を用いて、携帯情報端末装置２００に送信することが好適である。例えば、動画信号の無線通信は、１０数Ｍｂｐｓ以上の高画質を高速に通信でき、かつ数ｍから数十ｍ程度の距離の電波通信が可能な通信規格ブルーツース（Ｂｌｕｅｔｏｏｔｈ（登録商標）：ＩＥＥＥ８０２．１５．１）や超高画質を広域に電波通信が可能な高速無線ＬＡＮ通信（ＩＥＥＥ８０２．１１ｎやＩＥＥＥ８０２．１１ａｃ）が望ましい。
【００２３】
また、無線送信部１１４は、上述した検眼制御信号を、例えば、１３．５６ＭＨｚの近距離無線通信の通信規格を用いて、携帯情報端末装置２００に送信することが好適である。例えば、容量の少ない情報を含む検眼制御信号の無線通信は、数センチからおよそ１メートル程度のみ通信可能な近距離無線通信（ＩＳＯ／ＩＥＣ  １８０９２）が望ましい。
【００２４】
本実施形態においては、無線送信部１１４は、被検眼の観察状態の動画信号を常に眼科装置１００から携帯情報端末装置２００へ送信するとともに、上述した検眼制御信号も同時に送信する。また、本実施形態においては、無線受信部１１３は、無線送信部１１４から動画信号を携帯情報端末装置２００へ送信している状態でも、携帯情報端末装置２００から、検眼ユニット１０１による検査（検眼）に係る設定情報や、検眼モード状態の変更情報、検者が検眼ユニット１０１を被検眼に位置合わせする操作情報、緊急停止情報等を受信する。
【００２５】
電源ユニット１０４は、検眼ユニット１０１、検眼ユニット制御部１１１、無線制御部１１２、無線受信部１１３、無線送信部１１４の各デバイスに、電源を供給する。
【００２６】
図３は、図２に示す無線送信部１１４から携帯情報端末装置２００に送信する送信信号の一例を模式的に示す図である。
【００２７】
図３（ａ）は、動画信号の間に検眼制御信号の各情報を入れた送信信号の態様を示すものである。図３（ａ）に示す例では、検眼制御信号の各情報として、検眼に係る設定値情報２０、検眼に係る検眼モード状態情報２１、被検眼の左右眼情報２２、検眼に係る検眼エラー有無情報２３、検眼に係る検眼結果情報（測定値や撮影静止画等も含む）２４がある。このように、図３（ａ）に示す送信信号では、動画信号の間に、所定時間ごとに検眼制御信号の各情報２０〜２４を交ぜて、動画信号と検眼制御信号との２種類の信号を送信できるようにしている。例えば、通信規格ブルーツース（Ｂｌｕｅｔｏｏｔｈ（登録商標））において動画信号と検眼制御信号との２種類の信号を入れる、もしくは、高速無線ＬＡＮ通信において動画信号と検眼制御信号との２種類の信号を入れるようにしてもよい。
【００２８】
図３（ｂ）は、動画信号と検眼制御信号の各情報とを異なる２種類の通信規格を用いて送信することを想定した送信信号の態様を示すものである。例えば、動画信号の無線通信は、１０数Ｍｂｐｓ以上の高速通信の通信規格ブルーツース（Ｂｌｕｅｔｏｏｔｈ（登録商標））や高速無線ＬＡＮ通信の通信規格を用いて行う。また、例えば、容量の少ない情報を含む検眼制御信号の無線通信は、近距離無線通信（ＩＳＯ／ＩＥＣ  １８０９２）の通信規格を用いて行う。
【００２９】
また、無線受信部１１３で受信する受信信号としては、無線送信部１１４が図３に示すような送信信号を送信中に、検眼に係る設定情報や検眼モード状態の変更情報、検者による検眼ユニット１０１の操作情報、緊急停止情報等を受信できるようになっている。
【００３０】
次いで、携帯情報端末装置２００の説明を行う。
携帯情報端末装置２００は、被検眼を検査する少なくとも１つ以上の眼科装置１００と通信可能（無線通信可能）に構成されている。即ち、本実施形態に係る携帯情報端末装置２００は、複数の眼科装置１００と無線通信可能に構成されている。
【００３１】
この携帯情報端末装置２００は、図２に示すように、操作入力部２０１、処理・制御部２０２、無線受信部２０３と無線送信部２０４とを含む無線通信部２０５、電源ユニット２０６、表示部２０７、及び、接触センサ２０８を有して構成されている。
【００３２】
操作入力部２０１は、例えば検者が携帯情報端末装置２００に対して操作入力を行った際に、当該操作入力に基づく操作入力情報を処理・制御部２０２に入力する。
【００３３】
処理・制御部２０２は、操作入力部２０１から入力された操作入力情報や無線受信部２０３で受信した受信信号、更には、接触センサからの検知信号等に基づいて、携帯情報端末装置２００における各種の処理やその動作を統括的に制御する。
【００３４】
無線通信部２０５は、処理・制御部２０２からの制御信号に基づいて、眼科装置１００と無線通信を行うものであり、図２に示すように、無線受信部２０３と無線送信部２０４とを含み構成されている。
【００３５】
無線受信部２０３は、例えば、眼科装置１００から、上述した動画信号と検眼制御信号を受信する。さらに、無線受信部２０３は、例えば、眼科装置１００から、当該眼科装置１００を識別するための識別情報を受信する。さらに、無線受信部２０３には、無線の電界強度や送受信の遅延時間を検出する回路を内蔵することで、当該携帯情報端末装置２００と眼科装置１００との距離を検出することができる。なお、本実施形態においては、携帯情報端末装置２００の無線受信部２０３に、無線の電界強度や送受信の遅延時間を検出する回路を内蔵するようにしているが、例えば、眼科装置１００の無線受信部１１３に当該回路を内蔵する形態も適用可能である。
【００３６】
無線送信部２０４は、例えば、眼科装置１００に対して、検眼ユニット１０１による検査（検眼）に係る設定情報、検眼に係る回数情報、検眼ユニット１０１におけるアライメント操作情報、検眼に係る検眼開始操作情報等を送信する。なお、本発明においては、無線送信部２０４は、これらの情報のうちの少なくとも１つの情報を送信する態様も適用可能である。
【００３７】
電源ユニット２０６は、処理・制御部２０２、無線受信部２０３、無線送信部２０４、表示部２０７、接触センサ２０８の各デバイスに、電源を供給する。
【００３８】
表示部２０７は、処理・制御部２０２からの制御信号に基づいて、各種の画像や各種の情報を含む表示画面を表示する。例えば、表示部２０７は、処理・制御部２０２の制御に基づいて、眼科装置１００から送信された被検眼の動画信号に基づく動画像と眼科装置１００から送信された検眼制御信号に基づく検眼制御情報とを含む表示画面を表示する。
【００３９】
接触センサ２０８は、当該携帯情報端末装置２００が眼科装置１００と接触した際に、当該接触する検知する検知手段である。
【００４０】
次いで、以下に、本実施形態に係る携帯情報端末装置２００の処理・制御部２０２による制御方法について説明する。
【００４１】
処理・制御部２０２は、眼科装置１００との位置関係に応じて、表示部２０７に表示する表示画面を切り換える表示制御を行う。この表示制御を行う処理・制御部２０２は、表示制御手段を構成する。
【００４２】
例えば、処理・制御部２０２は、まず、接触センサ２０８により眼科装置１００と接触したことを検知した場合、または、眼科装置１００が携帯情報端末装置２００と非接触であって携帯情報端末装置２００との距離が所定の距離未満となった場合（例えば、無線通信部２０５が眼科装置１００と近距離無線通信を行う場合に、処理・制御部２０２が無線通信部２０５と眼科装置１００との間で近距離無線通信ができたことを検知した場合、或いは無線受信部２０３（又は無線受信部１１３）の距離を検出する回路で所定の距離未満となった場合）に、当該眼科装置１００を認識する認識処理を行う。この認識処理を行う処理・制御部２０２は、認識手段を構成する。そして、処理・制御部２０２は、眼科装置１００の認識を行うと、当該眼科装置１００に係る表示画面を表示部２０７に表示させる表示制御を行う。この際、処理・制御部２０２は、認識した眼科装置１００で得られた上述の動画信号に基づく動画像と上述の検眼制御信号に基づく検眼制御情報とを含む表示画面を表示部２０７に表示させる。
かかる構成によれば、眼科装置１００が認識されない場合（例えば眼科装置１００で検眼を行わない場合）には、患者の検査待ち情報や次に検眼する患者の患者情報等を携帯情報端末装置２００の表示部２０７に表示することができ、また、検者が携帯情報端末装置２００を眼科装置１００に近づけて眼科装置１００が認識された場合（例えば眼科装置１００で検眼を行う場合）には、表示部２０７に表示する表示画面を当該眼科装置１００に係る表示画面に切り換えることができるため、効率的な検眼を行うことができる。
【００４３】
また、例えば、眼科システム１０において、携帯情報端末装置２００と通信可能（無線通信可能）な眼科装置１００が複数設けられている場合には、処理・制御部２０２は、以下の処理を行うことが可能である。
例えば、処理・制御部２０２は、まず、複数の眼科装置１００のうち、他の眼科装置に比べて当該携帯情報端末装置２００に対して近傍に位置する眼科装置を認識する認識処理を行う。この一例として、処理・制御部２０２は、複数の眼科装置１００のうち、携帯情報端末装置２００に対して最も近傍に位置する眼科装置１００を認識する認識処理を行う。この場合、処理・制御部２０２は、携帯情報端末装置２００と接触した眼科装置１００、または、携帯情報端末装置２００と非接触であって携帯情報端末装置２００との距離が最も短い眼科装置１００を認識する認識処理を行う。この認識処理を行う処理・制御部２０２は、認識手段を構成する。続いて、処理・制御部２０２は、当該認識した眼科装置１００に係る表示画面を表示部２０７に表示させる表示制御を行う。具体的に、処理・制御部２０２は、当該認識した眼科装置１００で得られた上述の動画信号に基づく動画像と上述の検眼制御信号に基づく検眼制御情報とを含む表示画面を表示部２０７に表示させる。
かかる構成によれば、複数の眼科装置のうち、実際に検眼を行う眼科装置の情報を携帯情報端末装置２００の表示部２０７に表示することができるため、効率的な検眼を行うことができる。
【００４４】
次に、携帯情報端末装置２００の表示部２０７に表示される表示画面について説明する。
【００４５】
図４〜図７は、本発明の実施形態に係る携帯情報端末装置２００の外観の一例を示す図である。図４〜図７において、同じ構成については同じ符号を付している。本実施形態に係る携帯情報端末装置２００は、例えば、タブレットＰＣやスマートフォン、ノート型ＰＣと称される装置を適用することができる。この場合、携帯情報端末装置２００では、比較的大きな表示画面に、タッチパネル操作を行うことができ、また、複数のウィンドウが表示できる。この際、タッチパネルは、図２の操作入力部２０１を構成する。
【００４６】
図４に示すように、携帯情報端末装置２００には、無線通信可能な無線ＬＡＮ通信デバイス３０が内蔵されている。また、図４に示すように、携帯情報端末装置２００には、ＵＳＢコネクタに接続する外付けブルーツース（Ｂｌｕｅｔｏｏｔｈ（登録商標））対応の通信デバイス３１と、ＵＳＢコネクタに接続する外付けの近距離無線通信デバイス３２が設けられている。ここで、図４に示す例では、通信デバイス３１は、ＵＳＢコネクタに接続する外付けのブルーツース（Ｂｌｕｅｔｏｏｔｈ（登録商標））対応の通信デバイスとしているが、携帯情報端末装置２００に内蔵される態様も適用可能である。また、無線ＬＡＮ通信デバイス３０、ブルーツース（Ｂｌｕｅｔｏｏｔｈ（登録商標））対応の通信デバイス３１、及び、近距離無線通信デバイス３２は、図２の無線通信部２０５を構成する。
【００４７】
検者が携帯情報端末装置２００を持って、眼科装置１００から離れた場所にいる場合、図４に示す表示部２０７には、患者の待機状況を示すウィンドウ３３と動画無線通信されている眼科装置１００の観察状態のウィンドウ３４が表示されている。ウィンドウ３３で検眼している患者はハイライト表示３５で表示され、その患者情報がコメント欄３６に表示されるようになっている。この患者待機状態の表示画面は、院内のネットワークや眼科診断用システムのアプリケーションの一部とした実施例である。
【００４８】
検者は、図４に示すウィンドウ３４をタッチすることで、図５に示すように、眼科装置１００の撮像部１０９からの観察状態を表示したウィンドウ３４が前面にでる。ここでは、眼科装置１００から離れた位置でもこのように被検眼の状態を観察できるように高速な無線通信が行われているものとする。続いて、検者が携帯情報端末装置２００を持って、眼科装置１００の近傍に接近する、または、眼科装置１００のラック１０７に携帯情報端末装置２００を載置したとする。この場合、眼科装置１００の無線送信部１１４から接近の制御信号を携帯情報端末装置２００の無線受信部２０３が受信し、その応答を無線受信部１１３に返すことで、図６に示すような、検眼準備状態の表示画面に切り替わる。
【００４９】
図６において、表示４０−Ｒ，４０−Ｌは、左右眼のどちらを検査するか示す表示であり、眼科装置１００の内部の左右移動機構に組み込まれた位置検知によりどちらの眼が検査状態にあるか示すものである。図６に示す例では、右眼（表示４０−Ｒ）が検査できる状態であることを示している。
【００５０】
図６において、表示４１は、ステータス表示であり、検眼準備ができている場合には「検眼準備状態」が表示され、検眼中であれば「検眼中」または「測定中」が表示され、測定が正常に終了した場合には「検眼正常終了」等が表示される。また、何かエラーが発生した場合には、エラーメッセージがハイライトで表示できるようになっている。さらに、「検眼準備状態」でこの表示をタッチすることで、操作開始の制御信号を眼科装置１００に送信し、後述するアライメント操作や検眼設定を有効にするトリガーとなっている。
【００５１】
図６において、表示４２は、検眼直後の測定結果を示し、図６に示す状態は検眼前であるため空欄となっており、測定できれば測定結果を表示し、測定がエラーであればエラーを表示する。この表示４２において、「ＳＰＨ」は被検眼の球面度数を示し、「ＣＹＬ」は被検眼の乱視度数を示し、「ＡＸ」は被検眼の軸角度を示している。
【００５２】
図６において、表示４３は、検眼モードを切り替える表示兼ボタンであり、タッチすることで、ケラト測定とレフ測定を行うモードから、ケラト測定のみを行うモード、レフ測定のみを行うモード等のその他のモードに変更できる。
【００５３】
図６において、表示４４は、眼科装置１００の設定を変更するボタンを兼用しており、ボタンを押すことで、下の階層に入り、眼科装置１００の各種設定ができるようになっている。
【００５４】
図６において、表示４５は、測定結果の詳細を確認する表示画面に移行できるボタンを兼用している。
【００５５】
図６において、表示４６は、眼科装置１００から送信された識別情報に基づく眼科装置１００の名称を表示している。この表示４６は、検者が設定画面で好きな名称に変えることができ、後述する複数の眼科装置を操作する場合に識別することができる。
【００５６】
以上のようなボタン操作により、眼科装置１００の無線受信部１１３を介し、無線制御部１１２からの電気信号で検眼ユニット制御部１１１を制御することで、検眼モードに応じた検眼ユニット１０１の変更や、眼科装置１００の各種設定の切り換えが行える。
【００５７】
図７（ａ）は、被検眼のアライメントが左下にズレ、前後位置もズレた状態の表示画面を示している。検者が、図７（ａ）の点Ｐをタッチしながら点Ｏ方向に移動させると、そのアライメント指示の制御信号が、無線通信で携帯情報端末装置２００から眼科装置１００に送信される。そして、眼科装置１００では、この制御信号に基づき、検眼ユニット制御部１１１が、上下駆動ユニット１０２と左右前後駆動ユニット１０３を駆動させ、検眼ユニット１０１を検者の操作通りに移動させる。
【００５８】
また、被検眼に対する眼科装置１００の前後位置は、例えば、画面の２か所をつまむような操作を行うと後方向の移動ができ、画面の２か所を開くような操作を行うと前方向の移動ができる。さらに、アライメント指標光を被検眼に投影し、その反射光の位置を位置センサ（不図示）で検出することによるオートアライメント機能がある場合には、所定エリアに入れることで、自動的に位置合わせを行い、その動画信号を、無線送信部１１４を介して、携帯情報端末装置２００に送信するようにすることもできる。
【００５９】
図７（ｂ）は、測定エラーの場合の静止画像の表示画面を示している。携帯情報端末装置２００を患者に向けてこの表示画面を見せることで、何故測定エラーになったかを教えることができる。この図７（ｂ）では、被検眼の開瞼状態が良くないことを示し、患者にもう少し開瞼するように促す指示を行うことができる。
【００６０】
次に、本発明の実施形態に係る眼科システム１０の制御方法における処理手順について説明する。
図８は、本発明の実施形態に係る眼科システム１０の制御方法における処理手順の一例を示すフローチャートである。この図８の説明においては、図２に示された各装置の構成を用いて説明を行う。
【００６１】
図８には、携帯情報端末装置２００、認識対象の眼科装置Ａ（１００−Ａ）、並びに、携帯情報端末装置２００と眼科装置Ａ（１００−Ａ）との間で送受信される動画信号５１及び検眼制御信号５２が示されている。
【００６２】
携帯情報端末装置２００が起動状態で、眼科装置Ａ（１００−Ａ）の電源ユニット１０４の電源がＯＮにされると、ステップＳＴ１０１において、眼科装置Ａ（１００−Ａ）の、例えば無線制御部１１２は、これを検知する。そして、眼科装置Ａ（１００−Ａ）の無線制御部１１２は、検眼準備ができた旨の状態確認信号Ｓ１−１を、無線送信部１１４を介して、携帯情報端末装置２００に送信する。
【００６３】
携帯情報端末装置２００が状態確認信号Ｓ１−１を受信すると、続いて、ステップＳＴ１０２において、処理・制御部２０２は、眼科装置Ａ（１００−Ａ）を認識する。そして、処理・制御部２０２は、表示部２０７に、図４に示すウィンドウ３４を表示する。また、眼科装置Ａ（１００−Ａ）が認識されると、携帯情報端末装置２００は、ウィンドウ３４を開いて操作準備ができた旨の状態確認信号Ｓ１−２を、無線送信部２０４を介して、眼科装置Ａ（１００−Ａ）に送信する。
【００６４】
眼科装置Ａ（１００−Ａ）が状態確認信号Ｓ１−２を受信すると、続いて、ステップＳＴ１０３において、検眼ユニット制御部１１１は、検眼ユニット１０１による被検眼の観察を開始する。具体的に、本実施形態では、無線受信部１１３は、眼科装置Ａ（１００−Ａ）が携帯情報端末装置２００と接触した場合、または、眼科装置Ａ（１００−Ａ）が携帯情報端末装置２００と非接触であって携帯情報端末装置２００との距離が所定の距離未満となった場合に、携帯情報端末装置２００から状態確認信号Ｓ１−２を受信する。そして、検眼ユニット１０１で撮像された観察画像は、上述した高速無線の動画信号５１における観察動画信号Ｓ２として携帯情報端末装置２００に送信される。
【００６５】
図５に示すように、携帯情報端末装置２００において観察動画信号Ｓ２に基づく動画像は見られるが、ステータスは待機状態になっている。そして、検者が、携帯情報端末装置２００を眼科装置Ａ（１００−Ａ）に近づけたり設置したりすると、処理・制御部２０２は、表示部２０７に、図６に示すような検眼準備状態の表示画面に切り換える表示制御を行う。
【００６６】
そして、検者が、表示部２０７に表示された表示画面をタッチしながら検眼設定を行うと、ステップＳＴ１０４において、処理・制御部２０２は、これを検知する。そして、処理・制御部２０２は、当該検眼設定に基づく設定信号Ｓ３を、無線送信部２０４を介して、眼科装置Ａ（１００−Ａ）に送信する。
【００６７】
眼科装置Ａ（１００−Ａ）が設定信号Ｓ３を受信すると、続いて、ステップＳＴ１０５において、検眼ユニット制御部１１１は、検眼ユニット１０１に対して、設定信号Ｓ３に基づく検眼設定を行う。即ち、検眼ユニット１０１の検眼設定は、設定信号Ｓ３に基づく検眼設定に合わせた状態に変わる。
【００６８】
また、ステップＳＴ１０６において、処理・制御部２０２は、表示部２０７に、例えば図７（ａ）に示すような検眼準備状態の表示画面を表示する制御を行う。そして、検者が、図７（ａ）に示すようなアライメント操作を行うと、続いて、ステップＳＴ１０７において、処理・制御部２０２は、これを検知する。そして、処理・制御部２０２は、当該アライメント操作に基づく操作信号Ｓ４を、無線送信部２０４を介して、眼科装置Ａ（１００−Ａ）に送信する。
【００６９】
眼科装置Ａ（１００−Ａ）が操作信号Ｓ４を受信すると、続いて、ステップＳＴ１０８において、検眼ユニット制御部１１１は、上下駆動ユニット１０２と左右前後駆動ユニット１０３を駆動させて、検眼ユニット１０１を被検眼に位置合わせする。この際の動画信号は、観察動画信号Ｓ５として、携帯情報端末装置２００に送信される。
【００７０】
携帯情報端末装置２００が観察動画信号Ｓ５を受信すると、処理・制御部２０２は、表示部２０７に、観察動画信号Ｓ５に基づく動画像を表示する制御を行う。その後、検者が、表示部２０７の表示画面をタッチして検眼開始操作を行うと、ステップＳＴ１０９において、処理・制御部２０２は、これを検知する。そして、処理・制御部２０２は、当該検眼開始操作に基づく操作信号Ｓ６を、無線送信部２０４を介して、眼科装置Ａ（１００−Ａ）に送信する。
【００７１】
眼科装置Ａ（１００−Ａ）が操作信号Ｓ６を受信すると、続いて、ステップＳＴ１１０において、検眼ユニット制御部１１１は、検眼ユニット１０１に被検眼の検査を行わせる。その後、検眼ユニット制御部１１１は、検眼ユニット１０１による被検眼の検査結果に係る検眼結果信号Ｓ７を、無線制御部１１２及び無線送信部１１４を介して、携帯情報端末装置２００に送信する。即ち、眼科装置Ａ（１００−Ａ）では、無線受信部１１３は、観察動画信号が携帯情報端末装置２００に送信された後に、携帯情報端末装置２００からの操作信号Ｓ６（或いは操作信号Ｓ４）を受信し、無線送信部１１４は、無線受信部１１３で受信した操作信号に基づいて、被検眼を検査した結果である検眼結果信号Ｓ７を携帯情報端末装置２００に送信する。ここで、検眼結果信号Ｓ７は、例えば、眼科装置Ａ（１００−Ａ）が眼圧計であれば眼圧値や角膜厚値等が被検眼の検査結果として含まれ、眼科装置Ａ（１００−Ａ）がオートレフケラトメーターであれば屈折値や乱視度、軸角度、角膜曲率半径等が被検眼の検査結果として含まれる。また、検眼結果信号Ｓ７は、例えば、眼科装置Ａ（１００−Ａ）が眼底カメラであれば眼底静止画像等が被検眼の検査結果として含まれる。また、本実施形態においては、検眼結果信号Ｓ７には、被検眼の検査結果のみならず、測定に使用した角膜厚画像や屈折値のリング画像、エラー時のエラー画像等も含まれている。
【００７２】
携帯情報端末装置２００が検眼結果信号Ｓ７を受信すると、ステップＳＴ１１１及びステップＳＴ１１２において、処理・制御部２０２は、表示部２０７に、検眼結果信号Ｓ７に基づく検眼結果表示（ＳＴ１１１）や検眼エラー表示（ＳＴ１１２）を行う。
【００７３】
その後、ステップＳＴ１１３において、処理・制御部２０２は、携帯情報端末装置２００を待機状態とする。この待機状態は、被検眼の検査が終了した状態であり、携帯情報端末装置２００の表示部２０７は、図５に示すウィンドウ３４の表示状態に戻ることになる。その後、処理・制御部２０２は、当該待機状態に基づく状態確認信号Ｓ８を、無線送信部２０４を介して、眼科装置Ａ（１００−Ａ）に送信する。
【００７４】
眼科装置Ａ（１００−Ａ）が状態確認信号Ｓ８を受信すると、続いて、ステップＳＴ１１４において、検眼ユニット制御部１１１は、検眼ユニット１０１の測定準備状態であった光源を消灯または減光し、眼科装置Ａ（１００−Ａ）を待機状態とする。そして、検眼ユニット制御部１１１は、当該待機状態において検眼ユニット１０１内の観察光学系１０８を介して撮像部１０９で得られた観察動画像に基づく観察動画信号Ｓ９を、無線制御部１１２及び無線送信部１１４を介して、携帯情報端末装置２００に常時送信する。このように、待機状態では、携帯情報端末装置２００において、観察動画信号Ｓ９に基づく観察動画像を常時、表示部２０７に表示できるようになっている。
【００７５】
図８の処理によれば、携帯情報端末装置２００と眼科装置Ａ（１００−Ａ）との間で動画信号５１及び検眼制御信号５２を無線通信することで、検者は、次の患者の患者情報を確認したり、検眼操作を効率良く行えたり、エラー表示画面を患者に見せたりできる。これにより、効率的な検眼を行うことができる。
【００７６】
一般的な携帯情報端末装置では、複数のウィンドウ画面を表示でき、検眼以外の情報を表示するようになっているため、検者が、いざ検眼を行う際に検眼ためのウィンドウ画面を探したり表示させたりする操作を行う必要があり、煩わしい。この点、本実施形態に係る携帯情報端末装置２００では、眼科装置１００との位置関係に応じて表示部２０７に表示する表示画面を切り換えるようにしているため、検眼ためのウィンドウ画面を探したり表示させたりする煩わしい操作を行う必要がない。
【００７７】
また、図８に示す例では、携帯情報端末装置２００と無線通信を行う眼科装置が眼科装置Ａ（１００−Ａ）のみであったが、本実施形態においては、この態様に限定されるものではない。例えば、眼科装置であるレフケラトメーターを複数台所有している病院であれば、複数のレフケラトメーターの操作を１つの携帯情報端末装置２００で操作を行うことが可能である。例えば、３台のレフケラトメーターがある場合、レフケラトメーターＡ（１００−Ａ），レフケラトメーターＢ（１００−Ｂ），レフケラトメーターＣ（１００−Ｃ）のそれぞれの装置に固有の識別情報ＩＤａ，ＩＤｂ，ＩＤｃを付して、識別できるようにする。そして、例えば、レフケラトメーターＡ（１００−Ａ）の電源がＯＮされると、図８に示す状態確認信号Ｓ１−１にその識別情報ＩＤａを含ませて携帯情報端末装置２００に送信し、レフケラトメーターＡ用のウィンドウが立ちあがる。同様に、レフケラトメーターＢ（１００−Ｂ）及びレフケラトメーターＣ（１００−Ｃ）も、それぞれ、電源がＯＮされれば、それに対応したウィンドウを立ち上げることで、１つの携帯情報端末装置２００で複数の眼科装置１００を操作可能である。また、同じ種類の眼科装置ではなく、眼圧計や眼底カメラ等の異なる種類の眼科装置のそれぞれの電源を立ち上げることで、操作する眼科装置を追加することも可能である。
【００７８】
また、本実施形態に係る眼科システム１０には、以下の態様を適用することも可能である。
携帯情報端末装置２００が眼科装置Ａ（１００−Ａ）を認識しているときに検者が携帯情報端末装置２００を持ちながら移動した際に、携帯情報端末装置２００と認識している眼科装置Ａ（１００−Ａ）との距離が所定の距離以上となり且つ所定時間が経過した場合に、携帯情報端末装置２００及び眼科装置Ａ（１００−Ａ）は、以下の処理を行う。
この場合、携帯情報端末装置２００では、処理・制御部２０２は、認識している眼科装置Ａ（１００−Ａ）との通信を解除するか否かを選択するためのアイコンを表示部２０７に表示させる表示制御を行う。そして、携帯情報端末装置２００では、検者により眼科装置Ａ（１００−Ａ）との通信を解除する旨の選択がなされると、無線送信部２０４は、処理・制御部２０２の制御に基づいて、通信解除信号を眼科装置Ａ（１００−Ａ）に送信する。
そして、この場合、眼科装置Ａ（１００−Ａ）では、無線受信部１１３は、携帯情報端末装置２００から通信解除信号を受信する。そして、眼科装置Ａ（１００−Ａ）では、無線制御部１１２は、無線受信部１１３で受信した通信解除信号に基づいて、携帯情報端末装置２００との通信を解除する通信解除処理を行う。この通信解除処理を行う無線制御部１１２は、通信解除手段を構成する。
【００７９】
また、本実施形態に係る眼科システム１０には、以下の態様を適用することも可能である。
上述したように、携帯情報端末装置２００に複数の眼科装置１００が通信可能に構成されている場合に、携帯情報端末装置２００は、以下の処理を行う。
この場合、携帯情報端末装置２００では、処理・制御部２０２は、複数の眼科装置１００を認識した場合、当該複数の眼科装置のうちのいずれかの眼科装置を選択するための選択画面を表示部２０７に表示させる表示制御を行う。その後、携帯情報端末装置２００では、検者によりいずれかの眼科装置が選択されると、処理・制御部２０２は、当該選択された眼科装置１００に係る表示画面を表示部２０７に表示させる表示制御を行う。
【００８０】
また、本実施形態に係る眼科システム１０には、以下の態様を適用することも可能である。
具体的に、携帯情報端末装置２００において認識された眼科装置Ａ（１００−Ａ）では、既に使用中である場合には、無線送信部１１４は、当該眼科装置が既に使用中であることを示す情報を携帯情報端末装置２００に送信する。
この場合、携帯情報端末装置２００では、無線受信部２０３は、認識された眼科装置Ａ（１００−Ａ）から、当該眼科装置が既に使用中であることを示す情報を受信する。そして、携帯情報端末装置２００では、処理・制御部２０２は、無線受信部２０３で受信した当該情報に基づいて、認識された眼科装置Ａ（１００−Ａ）が既に使用中である旨を表示部２０７に表示させる表示制御を行う。
【００８１】
また、本実施形態に係る眼科システム１０には、以下の態様を適用することも可能である。
携帯情報端末装置２００において眼科装置Ａ（１００−Ａ）が認識される前に、携帯情報端末装置２００では、処理・制御部２０２は、患者待機状態の表示画面を表示部２０７に表示させているものとする。その後、携帯情報端末装置２００では、処理・制御部２０２は、眼科装置Ａ（１００−Ａ）を認識すると、表示部２０７に表示する表示画面を、患者待機状態の表示画面から眼科装置Ａ（１００−Ａ）に係る表示画面に切り換える表示制御を行う。
【００８２】
本実施形態に係る眼科システム１０によれば、携帯情報端末装置２００が複数の眼科装置１００と通信可能に構成されている場合であっても、それぞれの眼科装置に適した表示画面に切り換えることができ、効率的な検眼を行うことができる。また、検者は、操作画面を探さずに自動的に検眼したい眼科装置の操作画面になるため、検者の操作効率を向上させることができる。
【００８３】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
このプログラム及び当該プログラムを記憶したコンピュータ読み取り可能な記憶媒体は、本発明に含まれる。
【００８４】
なお、上述した本発明の実施形態は、いずれも本発明を実施するにあたっての具体化の例を示したものに過ぎず、これらによって本発明の技術的範囲が限定的に解釈されてはならないものである。即ち、本発明はその技術思想、または、その主要な特徴から逸脱することなく、様々な形で実施することができる。
【産業上の利用可能性】
【００８５】
本発明は、眼科診療や眼鏡処方に使用することが好適である。
【符号の説明】
【００８６】
１０  眼科システム、１００  眼科装置、１０１  検眼ユニット、１０４  電源ユニット、１１１  検眼ユニット制御部、１１２  無線制御部、１１３  無線受信部、１１４  無線送信部、１１５  無線通信部、２００  携帯情報端末装置、２０１  操作入力部、２０２  処理・制御部、２０３  無線受信部、２０４  無線送信部、２０５  無線通信部、２０６  電源ユニット、２０７  表示部、２０８  接触センサ
【図１】
2019205947.tif 000003
【図２】
2019205947.tif 000004
【図３】
2019205947.tif 000005
【図４】
2019205947.tif 000006
【図５】
2019205947.tif 000007
【図６】
2019205947.tif 000008
【図７】
2019205947.tif 000009
【図８】
2019205947.tif 000010